(57)【特許請求の範囲】
【請求項１】
上端が屋根に固定され、下端に軒樋を吊るすようにした吊りボルトを備えた屋根吊り具を補強するための屋根吊り具用補強具であって、
上記吊りボルトよりもやや短めの長さを有し、上記吊りボルトの全長の大部分について外周面を覆うように、かつ外周面にほぼ密着するように上記吊りボルトを抱持するようにした開閉自在な長尺抱持体を備え、
上記長尺抱持体は、それぞれに、上記吊りボルトに対応した抱持部を中央に形成するとともに、その両側に固定部を形成した、２つの半割抱持体で構成され、
上記２つの半割抱持体の上記抱持部に上記吊りボルトを嵌め入れ、固定部を重合させて固着することで、上記吊りボルトに固定されるとともに、
上記吊りボルトに螺合させたナットと、上記長尺抱持体の上端との間に上記屋根を挟み込み、上記長尺抱持体の下端より上記吊りボルトに螺合させた他のナットを締め付けて、上記吊りボルトを補強する構造にしていることを特徴とする屋根吊り具用補強具。
【請求項２】
上端が屋根に固定され、下端に軒樋を吊るすようにした吊りボルトを備えた屋根吊り具を補強するための屋根吊り具用補強具であって、
上記吊りボルトよりもやや短めの長さを有し、上記吊りボルトの全長の大部分について外周面を覆うように、かつ外周面にほぼ密着するように上記吊りボルトを抱持するようにした開閉自在な長尺抱持体を備え、
上記長尺抱持体は、上記吊りボルトに対応した抱持部を形成するとともに、その一方側に固定部を形成した筒状体で構成され、
上記筒状体の上記抱持部に上記吊りボルトを嵌め入れ、固定部を重合させて固着することで、上記吊りボルトに固定されるとともに、
上記吊りボルトに螺合させたナットと、上記長尺抱持体の上端との間に上記屋根を挟み込み、上記長尺抱持体の下端より上記吊りボルトに螺合させた他のナットを締め付けて、上記吊りボルトを補強する構造にしていることを特徴とする屋根吊り具用補強具。
【発明の詳細な説明】
【技術分野】
【０００１】
本発明は、上端が屋根に固定され、下端に軒樋を吊るすようにした吊りボルトを備えた屋根吊り具を補強するための屋根吊り具用補強具に関する。
【背景技術】
【０００２】
折板屋根を施工した建物では、軒樋を取り付けるために、折板屋根に吊り下げ固定される吊りボルトと、その吊りボルトの下端に連結される、軒樋を吊るす構造とした軒樋吊り具とよりなる屋根吊り具を用いることが一般的である（特許文献１参照）。
【０００３】
このような屋根吊り具は、軒樋の荷重が１本の吊りボルトにかかるため、軒樋が強風にあおられたときに吊りボルトが折れ曲がることがあったため、補強用の種々の補強構造が提案されていた。
【０００４】
例えば特許文献１に記載されたものは、吊りボルトの上端と、軒樋吊り具の樋耳保持部とを、吊りボルトに略平行な帯状の折曲板体よりなる補強腕部（屋根吊り具用補強具）で連結して吊りボルトの補強を図っている。この屋根吊り具用補強具によれば、少ない材料で製されているため、低コストで吊りボルトの補強を実現することができる。
【先行技術文献】
【特許文献】
【０００５】
【特許文献１】特開２００８−６３８０６号公報
【発明の概要】
【発明が解決しようとする課題】
【０００６】
しかしながら、特許文献１の屋根吊り具用補強具は構造が複雑であるため、取付作業に時間を要することが想定され、さらにまた、屋根吊り具用補強具の下端が軒樋吊り具に連結され、軒樋吊り具を介して吊りボルトを補強する構造となっているため、吊りボルト自体を直接的に補強する構造として十分であるとはいえない。
【０００７】
本発明は、このような問題点を解決すべく提案されたもので、その目的は、施工が簡単で、吊りボルトを直接的にかつ強固に補強できる屋根吊り具用補強具を提供することにある。
【課題を解決するための手段】
【０００８】
上記目的を達成するために、請求項１に記載の屋根吊り具用補強具は、上端が屋根に固定され、下端に軒樋を吊るすようにした吊りボルトを備えた屋根吊り具を補強するための屋根吊り具用補強具であって、上記吊りボルトよりもやや短めの長さを有し、上記吊りボルトの全長の大部分について外周面を覆うように、かつ外周面にほぼ密着するように上記吊りボルトを抱持するようにした開閉自在な長尺抱持体を備え、上記長尺抱持体は、それぞれに、上記吊りボルトに対応した抱持部を中央に形成するとともに、その両側に固定部を形成した、２つの半割抱持体で構成され、上記２つの半割抱持体の上記抱持部に上記吊りボルトを嵌め入れ、固定部を重合させて固着することで、上記吊りボルトに固定されるとともに、上記吊りボルトに螺合させたナットと、上記長尺抱持体の上端との間に上記屋根を挟み込み、上記長尺抱持体の下端より上記吊りボルトに螺合させた他のナットを締め付けて、上記吊りボルトを補強する構造にしていることを特徴とする。
【０００９】
請求項２に記載の屋根吊り具用補強具は、上端が屋根に固定され、下端に軒樋を吊るすようにした吊りボルトを備えた屋根吊り具を補強するための屋根吊り具用補強具であって、
上記吊りボルトよりもやや短めの長さを有し、上記吊りボルトの全長の大部分について外周面を覆うように、かつ外周面にほぼ密着するように上記吊りボルトを抱持するようにした開閉自在な長尺抱持体を備え、上記長尺抱持体は、上記吊りボルトに対応した抱持部を形成するとともに、その一方側に固定部を形成した筒状体で構成され、上記筒状体の上記抱持部に上記吊りボルトを嵌め入れ、固定部を重合させて固着することで、上記吊りボルトに固定されるとともに、上記吊りボルトに螺合させたナットと、上記長尺抱持体の上端との間に上記屋根を挟み込み、上記長尺抱持体の下端より上記吊りボルトに螺合させた他のナットを締め付けて、上記吊りボルトを補強する構造にしていることを特徴とする。
【発明の効果】
【００１０】
請求項１または２に記載の屋根吊り具用補強具によれば、長尺抱持体が吊りボルトの全長の大部分を抱持する構成であるため、吊りボルトに対する直接的で強固な補強ができ、吊りボルトの変形等を防止できる。
【００１１】
請求項１に記載の屋根吊り具用補強具によれば、長尺抱持体が２つの半割抱持体で構成されているので、吊りボルトに対して無理なく取り付けられる。また、２つの半割抱持体を同一形状の部材で構成した場合には、屋根吊り具用補強具を１種類の部材で構成できるから、在庫管理が簡便となる。
【００１２】
請求項２に記載の屋根吊り具用補強具によれば、長尺抱持体が筒状体１部材で構成されているので、持ち運び、保管、在庫管理等において便利であるうえ、製造コストを抑えることもできる。
【図面の簡単な説明】
【００１３】
【図１】本発明の屋根吊り具用補強具の第１実施形態を示す分解斜視図である。
【図２】同実施形態の屋根吊り具用補強具の使用状態を示す正面図である。
【図３】本発明の屋根吊り具用補強具の第２実施形態（参考例）を示す分解斜視図である。
【図４】本発明の屋根吊り具用補強具の第３実施形態を示す分解斜視図である。
【発明を実施するための形態】
【００１４】
以下に、本発明の実施形態について、添付図面を参照しながら説明する。
【００１５】
本発明の屋根吊り具用補強具は、折板屋根等の軒先部に取り付けて使用するもので、軒樋等を軒先に吊り下げ保持する屋根吊り具を補強する補強具である。なお、以下では屋根吊り具用補強具の取付対象として折板屋根を例示しているが、他の波形屋根や平板屋根にも取り付けることができる。
【００１６】
図１は、本発明の屋根吊り具用補強具の第１実施形態を示す分解斜視図である。図２は、同実施形態の屋根吊り具用補強具の使用状態を示す正面図である。
【００１７】
屋根吊り具用補強具１０の取付対象である屋根吊り具２０は、折板屋根３０の軒先部３０ａに吊り下げ固定される吊りボルト２１と、吊りボルト２１の下部に連結した軒樋吊り具２２とを備えており、防水パッキン２５、山座２４を介して上下のナット２３、２６で固定される構造となっている（図２参照）。なお、軒樋吊り具２２は、金属等の板片で製され、その略中央部で吊りボルト２１と連結されており、その前後（図中、左右に対応）に、軒樋（不図示）の前耳、後耳を保持する樋耳保持部２２ａ、２２ａを備えている。
【００１８】
一方、屋根吊り具用補強具１０は、屋根吊り具２０を補強するもので、特に、吊りボルト２１のほぼ全長あるいは上部のやや短めの長さ部分に対して、周囲を取り囲むようにして取り付けられる。
【００１９】
すなわち、屋根吊り具用補強具１０は、図１に示すように、吊りボルト２１を抱持して固定できる長尺抱持体１２を備えている。
【００２０】
長尺抱持体１２は、金属材、硬質樹脂材等の硬質な材料よりなる同一形状の２つの半割抱持体１２Ａ、１２Ａで構成されている。半割抱持体１２Ａの中央に位置する湾曲凹部（外面が凸部）に形成された抱持部１２ａの両側には、上下においてボルトＢ、ナットＮで固定するためのボルト挿通孔１２ｂａを有した固定部１２ｂが形成されている。これらの半割抱持体１２Ａ、１２Ａで吊りボルト２１を挟み込んでボルトＢ、ナットＮで固定すれば、抱持された部分は外観露出されず保護される。
【００２１】
この屋根吊り具用補強具１０は、図１、図２に示すように、一方の半割抱持体１２Ａの抱持部１２ａを吊りボルト２１にあてがって、さらに、他の半割抱持体１２Ａで挟み込み、上下に移動しないように固定することで、吊りボルト２１にはカバーが被せられた状態となるように固定される。
【００２２】
具体的には、屋根吊り具用補強具１０は、長尺抱持体１２の上端が折板屋根３０の裏面に接触し、その長尺抱持体１２と、折板屋根３０の上面側に配され、吊りボルト２１に螺合したナット２３、山座２４、防水パッキン２５との間に折板屋根３０を挟み込み、該ナット２３と、長尺抱持体１２の下側に配したナット２６とで締め付けて、長尺抱持体１２が吊りボルト２１の上部に固定される取付構造となっている。なお、図２中、３１は吊りボルト挿通孔である。
【００２３】
このように、屋根吊り具用補強具１０は吊りボルト２１に対して、長尺抱持体１２が吊りボルト２１の全長の大部分について外周面を覆うように、かつ外周面にほぼ密着するようにカバー部材のごとく取り付けられるので、吊りボルト２１に対する直接的で強固な補強ができ、吊りボルト２１の変形等を防止できる。
【００２４】
また、本実施形態の屋根吊り具用補強具１０は、長尺抱持体１２が２つの半割抱持体１２Ａ、１２Ａで構成されているので、吊りボルト２１に対して無理なく取り付けられる。また、２つの半割抱持体１２Ａ、１２Ａを同一形状の部材で構成しているので、屋根吊り具用補強具１０を１種類の部材で構成できる。よって、在庫管理が簡便となる。
【００２５】
ついで、本発明の第２実施形態（参考例）および第３実施形態（本発明の実施例）について、図３、図４に示した分解斜視図を参照しながら説明する。なお、これらの実施形態についての使用状態については、第１実施形態とほぼ同様であるため、図示を省略する。また、これらの実施形態では、第１実施形態と同様の構成については同一の符号を各図に付して、その説明を省略する。
【００２６】
これらの屋根吊り具用補強具１０も、吊りボルト２１と略同等またはやや短めの長さを有する長尺抱持体１２を備えている。したがって、第１実施形態と同様に、長尺抱持体１２は吊りボルト２１の全長の大部分について周囲を取り囲むカバー部材のごとく取り付けられるので、吊りボルト２１に対する直接的で強固な補強ができ、吊りボルト２１の変形等を防止できる。
【００２７】
第２実施形態の屋根吊り具用補強具１０は、長尺抱持体１２が２つの半割抱持体１２Ａ、１２Ａで構成され、それら２つの半割抱持体１２Ａ、１２Ａがヒンジ構造１２ｃにより開閉自在に連結されている（図３参照）。
【００２８】
２つの半割抱持体１２Ａ、１２Ａがヒンジ構造１２ｃで開閉自在となっているので、図３に示すように、吊りボルト２１を容易に抱持することができ、現場での作業が簡易に行える。また、屋根吊り具用補強具１０を長尺抱持体１２のみの１部材で構成できるため、持ち運び、保管、在庫管理等のあらゆる面において利便性が高い。また、半割抱持体１２Ａ、１２Ａ同士がヒンジ結合されているので、ボルト止めは一方のみでよく、固定の手間が省け、短時間で施工できる。
【００２９】
また、第３実施形態の屋根吊り具用補強具１０は、長尺抱持体１２が筒状体で構成されている（図４参照）。
【００３０】
すなわち、この長尺抱持体１２は、長手方向の全長にわたってスリットが形成された筒状の抱持部１２ａと、そのスリットを挟んだ両端から外方に板状に重合するように延びた固定部１２ｂとを備えている。
【００３１】
この屋根吊り具用補強具１０は、固定部１２ｂを構成する２片を弾性力に抗して矢印Ｘの方向に開いて吊りボルト２１を嵌め入れることで、吊りボルト２１を抱持、固定することができる。本例では、吊りボルト２１を嵌め入れしやすくするために、固定部１２ｂには、２片が両側に開いたガイド部１２ｄが形成されている。もちろん、屋根吊り具用補強具１０を、吊りボルト２１を矢印Ｙの方向に挿通させるように取り付けてもよい。
【００３２】
第３実施形態の屋根吊り具用補強具１０によれば、長尺抱持体１２が筒状体のみの１部材で構成されているので、持ち運び、保管、在庫管理等において便利であるうえ、製造コストを抑えることもできる。また、この実施形態では屋根吊り具用補強具１０が常時閉まった状態にあるのでボルトＢ止めをしなくてもよく、屋根吊り具用補強具１０が上下方向にずれないように両ナット２３、２６で固定するだけの構造であってもよい。
【００３３】
以上に説明した３実施形態では、屋根吊り具用補強具１０の屋根吊り具２０への取り付けをボルトＢ、ナットＮにより固定するようにしているが、リベットをかしめて固定するようにしてもよい。
【符号の説明】
【００３４】
１０      屋根吊り具用補強具
１２      長尺抱持体
１２Ａ      半割抱持体
１２ａ      抱持部
１２ｂ      固定部
１２ｂａ      ボルト挿通孔
１２ｃ      ガイド部
１２ｄ      ヒンジ構造
Ｂ      ボルト
Ｎ      ナット
２０      屋根吊り具
２１      吊りボルト
２２      軒樋吊り具
２２ａ      樋耳保持部
２３      ナット
２４      山座
２５      防水パッキン
２６      ナット
３０      折板屋根
３０ａ      軒先部
３１      吊りボルト挿通孔
【図１】
0005452698.tif 000002
【図２】
0005452698.tif 000003
【図３】
0005452698.tif 000004
【図４】
0005452698.tif 000005